(57)【要約】【課題】電極を交換する際の作業性が良く、繰り返して使用することが可能なコネクタの挿抜用ホルダを提供する。【解決手段】複数の電極２０（２０ａ〜２０ｊ）の各コネクタ２２（２２ａ〜２２ｊ）を計測器に接続する挿抜用ホルダ１は、板状に形成された樹脂製の基台部２と、基台部２の平面部４から離れる方向の突出方向に沿って突出し平面部４上に所定の間隔を空けて設けられた複数の樹脂製の突起部３ａ〜３ｌを備える。複数の突起部３ａ〜３ｌの各々は、コネクタ２２（２２ａ〜２２ｊ）を突出方向と交差する交差方向に対して位置決めしつつ保持する保持面６ａ〜６ｌを有し、複数の電極２０（２０ａ〜２０ｊ）のコネクタ２２（２２ａ〜２２ｊ）の各々は、交差方向に沿って基台部４から一部が突出した状態で、複数の突起部３ａ〜３ｌの保持面６ａ〜６ｌによって両側から挟みこまれた状態で保持される。【選択図】図２
2014188357.tif 000002
【特許請求の範囲】
【請求項１】
複数の電極の各コネクタを計測器に接続するためのコネクタの挿抜用ホルダであって、
板状に形成された樹脂製の基台部と、
前記基台部の平面部から離れる方向の突出方向に沿って突出し、前記平面部上に所定の間隔を空けて設けられた複数の樹脂製の突起部と、
を備え、
前記複数の突起部の各々は、前記コネクタを前記突出方向と交差する交差方向に対して位置決めしつつ保持するための保持面を有し、
前記複数の電極のコネクタの各々が、前記交差方向に沿って前記基台部から一部が突出した状態で、前記複数の突起部の保持面によって両側から挟みこまれて保持されるように構成されていることを特徴とするコネクタの挿抜用ホルダ。
【請求項２】
前記複数の突起部の各々は円柱形状を有し、前記円柱形状の側面の一部が前記保持面であることを特徴とする請求項１に記載のコネクタの挿抜用ホルダ。
【請求項３】
前記基台部の平面部には、把持用の開口部が形成されていることを特徴とする請求項１または２に記載のコネクタの挿抜用ホルダ。
【発明の詳細な説明】
【技術分野】
【０００１】
本発明は、コネクタの挿抜用ホルダに関するものである。
【背景技術】
【０００２】
従来、例えば、被検者の１０箇所に電極を貼り付けて心電図を計測する際、複数の電極のコネクタを心電計に接続する作業を電極毎に行わなければならならず、作業性が低かった。
【０００３】
そこで、例えば、下記特許文献１には、リードアダプタを介して心電計と接続される心電計用電極が開示されている。この心電計用電極は、複数の電極とこれらの電極を並列に横並び状態で保持する保持ケースとを備えている。複数の電極の接触子（コネクタ）が保持された状態の保持ケースをリードアダプタに接続することで、複数の電極を一括して心電計に接続することができる。
【先行技術文献】
【特許文献】
【０００４】
【特許文献１】特許４４４４６１４号公報
【発明の概要】
【発明が解決しようとする課題】
【０００５】
しかしながら、特許文献１に開示された心電計用電極の保持ケースは、一枚の紙製のシートを折り曲げて形成されたものである。この保持ケースは、その底面部と接合部とが両面テープ等によって面接合されることで形成され、各接触子（各コネクタ）の一部を外部に突出した状態で収容する筒状収容部を有している。
【０００６】
この筒状収容部に対して各接触子の取付けや取外しの作業を行うためには、各接触子に対応する分割扉片を個別に開閉する作業が必要となり、保持ケースに保持された複数の電極を交換する交換作業の作業性が低いものであった。また、保持ケースは、紙部材で形成されているため、繰り返して使用するための強度が不十分であったり、複数の電極を保持した状態で計測器に一括して複数の電極を挿抜するための強度が不十分であった。
【０００７】
本発明の目的は、電極を交換する際の作業性が良く、繰り返して使用することが可能なコネクタの挿抜用ホルダを提供することにある。
【０００８】
上記課題を解決するために、本発明のコネクタの挿抜用ホルダは、複数の電極の各コネクタを計測器に接続するためのコネクタの挿抜用ホルダであって、板状に形成された樹脂製の基台部と、前記基台部の平面部から離れる方向の突出方向に沿って突出し、前記平面部上に所定の間隔を空けて設けられた複数の樹脂製の突起部と、を備え、前記複数の突起部の各々は、前記コネクタを前記突出方向と交差する交差方向に対して位置決めしつつ保持するための保持面を有し、前記複数の電極のコネクタの各々が、前記交差方向に沿って前記基台部から一部が突出した状態で、前記複数の突起部の保持面によって両側から挟みこまれて保持されるように構成されていることを特徴とするものである。
【０００９】
また、本発明のコネクタの挿抜用ホルダにおいて、前記複数の突起部の各々は円柱形状を有し、前記円柱形状の側面の一部が前記保持面であることが好ましい。
【００１０】
また、本発明のコネクタの挿抜用ホルダにおいて、前記基台部の平面部には、把持用の開口部が形成されていることが好ましい。
【発明の効果】
【００１１】
本発明のコネクタの挿抜用ホルダによれば、電極を交換する際の作業性が良く、繰り返して使用することが可能なコネクタの挿抜用ホルダを提供することができる。
【図面の簡単な説明】
【００１２】
【図１】本発明に係るコネクタの挿抜用ホルダと、挿抜される電極のコネクタ、およびコネクタが挿抜される計測器を示す図である。
【図２】コネクタの挿抜用ホルダと挿抜用ホルダに保持されるコネクタを示す斜視図である。
【図３】（ａ）はコネクタの挿抜用ホルダと挿抜用ホルダに保持されたコネクタを示す平面図であり、（ｂ）は（ａ）に示す挿抜用ホルダおよびコネクタの部分拡大図である。
【図４】（ａ）はコネクタの挿抜用ホルダによって計測器に挿し込まれるコネクタを示す斜視図であり、（ｂ）はコネクタの挿抜用ホルダによって計測器に挿し込まれたコネクタを示す斜視図である。
【図５】コネクタの挿抜用ホルダによってコネクタが挿抜される複数種類の計測器を示す図である。
【図６】（ａ），（ｂ）はそれぞれ本発明に係るコネクタの挿抜用ホルダの変形例を示す図である。
【発明を実施するための形態】
【００１３】
以下、本発明に係るコネクタの挿抜用ホルダの実施形態の一例を添付図面に基づいて説明する。
【００１４】
図１は、コネクタの挿抜用ホルダ（以下、挿抜用ホルダともいう）１と、挿抜用ホルダ１によってコネクタが挿抜される心電計（計測器の一例）１０と、心電計１０に接続される電極２０を示す。
【００１５】
挿抜用ホルダ１は、複数の電極２０の各コネクタを一括して心電計１０に接続（挿す）または接続解除（抜く）するためのホルダである。挿抜用ホルダ１は、板状に形成された基台部２と、基台部２から突出するように形成された複数の突起部３（３ａ〜３ｌ）とを備えている。
【００１６】
電極２０は、被検者の心電図データを検出するための測定部材である。電極２０は、被検者に接触（貼り付け）される電極部２１と、心電計１０に接続されるコネクタ２２と、電極部２１とコネクタ２２とを接続するリード線２３とを備えている。図１では、心電計１０に接続される２０ａ〜２０ｊまでの１０個の電極を示している。
【００１７】
心電計１０は、電極２０で測定された心電図データを記録および波形表示するための計測機器である。心電計１０は、心電図データが記録および表示される心電計本体１１と、コネクタ２２が抜き挿しされる中継アダプタ１２と、心電計本体１１と中継アダプタ１２とを接続する接続線１３とを備えている。
【００１８】
図２は、挿抜用ホルダ１と挿抜用ホルダ１に取り付けられる電極２０ａ（コネクタ２２ａ，リード線２３ａ）を示す。以下の説明において、図２に示す矢印Ｆの方向を挿抜用ホルダ１の前方向、矢印Ｂの方向を後方向、矢印Ｕの方向を上方向、矢印Ｄの方向を下方向とする。
【００１９】
挿抜用ホルダ１の基台部２は、矩形状の平板によって形成されている。基台部２は剛性を有する樹脂製の部材により構成されている。基台部２の平面部４上には挿抜用ホルダ１の上方向に突出した複数（１２本）の突起部３ａ〜３ｌが設けられている。このように、基台部２の平面部４上には平面部４から離れる方向に突出した複数（１２本）の突起部３ａ〜３ｌが設けられている。
【００２０】
突起部３ａ〜３ｌは、剛性を有する樹脂部材によって形成されている。突起部３ａ〜３ｌは、平面部４から離れる方向（突出方向）へ略垂直に伸び、それぞれの突起部３ａ，３ｂ，・・・３ｌが予め定められた所定の間隔を空けて設けられている。突起部３ａ〜３ｌは、平面部４の前側に左右方向へ横一列になるように設けられている。突起部３ａ〜３ｌは、基台部２の前面２Ｆから予め定められた所定の距離Ｌの位置に設けられている。所定の距離Ｌについては図３を参照して後述する。
【００２１】
各突起部３ａ，３ｂ，・・・３ｌの間の間隔は、電極２０のコネクタ２２を取り付けることが可能な程度の幅に設定されている。図２には、突起部３ａと３ｂの間に取り付けられる電極２０ａが示されている。電極２０ａのコネクタ２２ａは、突起部３ａと３ｂの上方から下方に向けて、突起部３ａと３ｂの突出方向に沿って（図２に示す一点鎖線２４の方向に沿って）突起部３ａと３ｂの間に嵌入され平面部４に当接した状態で取り付けられる。また、突起部３ａと３ｂの間に取り付けられたコネクタ２２ａは、突起部３ａと３ｂの突出方向に沿って（図２に示す一点鎖線２４の方向に沿って）上方へ取り外される。コネクタ２２ａは、挿込口２５が挿抜用ホルダ１の前方を向くように取り付けられる。
【００２２】
なお、図示は省略されているが、その他の突起部間、例えば、突起部３ｂと３ｃ間、突起部３ｃと３ｄ間、突起部３ｆと３ｇ間等に対しても、同様に各突起部の突出方向に沿ってコネクタが取り付けおよび取り外しされる。
【００２３】
突起部３ａ〜３ｌは、例えば、円柱形状を有しており、それぞれの円柱側面６ａ〜６ｌは各突起部間に取り付けられたコネクタを保持する保持面が形成されている。突起部３ａ〜３ｌは、保持面６ａ〜６ｌによってコネクタを保持するとともに突起部３ａ〜３ｌの突出方向と交差する挿抜用ホルダ１の前後方向（交差方向の一例）に対してコネクタの位置決めを行う。保持および位置決めについては図を参照して後述する。
【００２４】
また、平面部４の後方中央部には開口部５が形成されている。開口部５は、挿抜用ホルダ１に取り付けたコネクタ２２を心電計１０（中継アダプタ１２）に挿抜する際に操作者によって把持される把持用の開口である。本例の開口部５は、円形状に形成されている。
【００２５】
図３（ａ）は、コネクタ２２ａ〜２２ｊが取り付けられた状態の挿抜用ホルダ１を示す。図に示すように、挿抜用ホルダ１の突起部３ａと３ｂの間には電極２０ａのコネクタ２２ａが取り付けられている。同様に、突起部３ｂと３ｃの間には電極２０ｂのコネクタ２２ｂが、突起部３ｃと３ｄの間にはコネクタ２２ｃが、突起部３ｄと３ｅの間にはコネクタ２２ｄが取り付けられている。また、突起部３ｆと３ｇの間には電極２０ｅのコネクタ２２ｅが、突起部３ｇと３ｈの間にはコネクタ２２ｆが、突起部３ｈと３ｉの間にはコネクタ２２ｇが、突起部３ｉと３ｊの間にはコネクタ２２ｈが、突起部３ｊと３ｋの間にはコネクタ２２ｉが、突起部３ｋと３ｌの間にはコネクタ２２ｊが取り付けられている。コネクタ２２ａ〜２２ｊは、心電計１０で測定される生体情報に対応して四肢誘導用の４本（コネクタ２２ａ〜２２ｄ）と胸部誘導用の６本（２２ｅ〜２２ｊ）に分かれて配置されている。挿抜用ホルダ１は、合計１０本のコネクタが取り付けられる構成になっている。
【００２６】
コネクタ２２ａ〜２２ｊの各々は、基台部２の平面部４上に挿抜用ホルダ１の前後方向に沿うように取り付けられる。また、コネクタ２２ａ〜２２ｊは、挿込口２５側の一部が基台部２の前面２Ｆよりも前に突出した状態で取り付けられる。さらに、コネクタ２２ａ〜２２ｊは、突出した端部の前面が二点鎖線３１で示されるように略横一列となる位置に取り付けられる。コネクタ２２ａ〜２２ｊの突出した端部は、心電計１０の中継アダプタ１２に挿し込まれる部分となる。
【００２７】
突起部３ａ〜３ｌは、隣り合う突起部間の距離（突起部の向かい合う保持面間の距離）Ｗ１が、その突起部間にそれぞれ取り付けられるコネクタ２２ａ，２２ｂ，・・・２２ｊの胴部幅Ｗ２よりも僅かに小さくなるように平面部４上に設けられている。突起部３ａ〜３ｌは、各突起部間に取り付けられたコネクタ２２ａ，２２ｂ，・・・２２ｊの胴部を保持面６ａと６ｂ，６ｂと６ｃ，・・・６ｋと６ｌによって両側から挟みこむように保持する。
【００２８】
図３（ｂ）は、図３（ａ）における突起部３ａ〜３ｌに保持されたコネクタ２２ａ〜２２ｊの部分拡大図を示す。図に示されるように、コネクタ２２ａは胴部に窪み部２６ａを有している。同様に、コネクタ２２ｂは胴部に窪み部２６ｂを有し、コネクタ２２ｃは窪み部２６ｃを、コネクタ２２ｄは窪み部２６ｄを有している。
【００２９】
各窪み部２６ａ〜２６ｄは、例えば、コネクタ胴周部の一部分に形成されており、図に示すように平面視において胴部幅が徐々に変化する湾曲形状を有している。コネクタ２２ａ，２２ｂ，２２ｃは、この窪み部２６ａ，２６ｂ，２６ｃが突起部３ａと３ｂ間，３ｂと３ｃ間，３ｃと３ｄ間にそれぞれ嵌入するように取り付けられる。この場合、隣り合う突起部間の距離Ｗ１は、コネクタ２２ａ〜２２ｃの窪み部の胴部幅Ｗ２よりも僅かに小さくなるように設けられている。
【００３０】
突起部３ａと３ｂ間，３ｂと３ｃ間，３ｃと３ｄ間に取り付けられたコネクタ２２ａ，２２ｂ，２２ｃは、その窪み部２６ａ，２６ｂ，２６ｃがそれぞれ突起部の保持面６ａと６ｂ，６ｂと６ｃ，６ｃと６ｄによって両側から挟みこむように保持される。各突起部３ａ，３ｂ，３ｃ，３ｄは、保持したコネクタ２２ａ，２２ｂ，２２ｃの端部（中継アダプタ１２に挿し込まれる分だけ）を基台部２の前面２Ｆよりも前に突出して配置させ、さらにその突出した端部の前面を二点鎖線３１（図３（ａ）参照）で示されるように略横一列に揃える位置（基台部２の前面２Ｆから所定の距離Ｌの位置）に形成されている。
【００３１】
図４は、挿抜用ホルダ１によって心電計１０の中継アダプタ１２に挿抜される複数のコネクタ２２ａ〜２２ｊを示す。図４（ａ）はコネクタ２２ａ〜２２ｊが挿し込まれていない状態を示し、図４（ｂ）はコネクタ２２ａ〜２２ｊが挿し込まれた状態を示す。
【００３２】
図４（ａ）に示されるように、挿抜用ホルダ１に取り付けられたコネクタ２２ａ〜２２ｊは、中継アダプタ１２のコネクタ挿込口１４ａ〜１４ｊの配列（コネクタ挿込口１４ａ〜１４ｄと１４ｅ〜１４ｊ）に対応して、コネクタ２２ａ〜２２ｄの４本とコネクタ２２ｅ〜２２ｊの６本に分けて配置されている。また、コネクタ２２ａ〜２２ｊにおける隣り合うコネクタ間のピッチも中継アダプタ１２のコネクタ挿込口１４ａ〜１４ｊのピッチに対応して設けられている。
【００３３】
突起部間３ａ−３ｂ，３ｂ−３ｃ，・・・３ｋ−３ｌに取り付けられた各コネクタ２２ａ，２２ｂ，・・・２２ｊは、コネクタの胴部幅よりも僅かに狭い突起部間距離で形成された突起部３ａと３ｂ，３ｂと３ｃ，・・・３ｋと３ｌによって両側から挟み込まれている。これによりコネクタ２２ａ，２２ｂ，・・・２２ｊは突出方向へ容易に抜け落ちないように保持される。また、各コネクタ２２ａ，２２ｂ，・・・２２ｊは、胴部に形成された窪み部２６ａ，２６ｂ，・・・２６ｊが突起部３ａと３ｂ，３ｂと３ｃ，・・・３ｋと３ｌによって両側から挟み込まれている。このためコネクタ２２ａ，２２ｂ，・・・２２ｊは前後方向へ移動しないように突起部によって確実に保持される。
【００３４】
また、突起部３ａ〜３ｌによって挟み込まれたコネクタ２２ａ〜２２ｊは、コネクタ２２ａ〜２２ｊの端部が基台部２の前面２Ｆよりも前に突出して保持されており、この突出した端部がそれぞれ中継アダプタ１２のコネクタ挿込口１４ａ〜１４ｊに挿し込まれる。このとき突出した端部はその前面が略横一列に揃うように保持されているので、複数のコネクタ２２ａ〜２２ｊであっても同時に一括して確実にコネクタ挿込口１４ａ〜１４ｊに挿し込まれる。
【００３５】
図４（ｂ）に示されるように、挿抜用ホルダ１は、開口部５を把持されて中継アダプタ１２に対するコネクタ２２ａ〜２２ｊの挿し込みが行われる。コネクタ２２ａ〜２２ｊの挿し込み時には、中継アダプタ１２に対して挿抜用ホルダ１を前方向に押し込む。基台部２の前面２Ｆよりも前に突出したコネクタ２２ａ，２２ｂ，・・・２２ｊの部分が中継コネクタ１２のコネクタ挿込口１４ａ，１４ｂ，・・・１４ｊにそれぞれ押し込まれて行き、基台部２の前面２Ｆが中継コネクタ１２の前面に当接してコネクタ２２ａ，２２ｂ，・・・２２ｊの挿し込み接続が完了する。
【００３６】
なお、中継アダプタ１２からコネクタ２２ａ〜２２ｊを抜き外しする場合にも開口部５が把持される。把持した挿抜用ホルダ１を後方向へ真っ直ぐに引き抜くことにより、中継アダプタ１２から挿抜用ホルダ１が外される。
【００３７】
以上説明したように、本実施形態の挿抜用ホルダ１によれば、突起部３ａ〜３ｌの突出方向に沿って電極２０ａ〜２０ｊのコネクタ２２ａ〜２２ｊを差し込むという簡単な動作で、電極２０ａ〜２０ｊを挿抜用ホルダ１に取り付けることができる。また、取り外す作業も同様に、突起部３ａ〜３ｌの突出方向に沿って電極２０ａ〜２０ｊのコネクタ２２ａ〜２２ｊを引き抜くという簡単な動作で、電極２０ａ〜２０ｊを挿抜用ホルダ１から取り外すことができる。
【００３８】
また、挿抜用ホルダ１を構成する基台部２や突起部３ａ〜３ｌは、樹脂材料で形成されているため、計測器１０に対するコネクタ２２ａ〜２２ｊの挿抜作業や挿抜用ホルダ１に対するコネクタ２２ａ〜２２ｊの取付けおよび取外し作業を繰り返し行っても十分な強度（剛性）を維持することができる。また、隣り合う突起部（３ａと３ｂ，３ｂと３ｃ等）の間隔Ｗ１はコネクタの胴部幅Ｗ２よりも僅かに狭く形成されているので、各突起部３ａ、３ｂ、・・・３ｌは突起部間に嵌入されて取り付けられたコネクタ２２ａ，２２ｂ，・・・２２ｊを突起部の弾性力によって両側から挟み込み確実に保持することができる。
【００３９】
また、挿抜用ホルダ１に取り付けられた複数の電極２０ａ〜２０ｊのコネクタ２２ａ〜２２ｊの各々は、隣接する突起部の各保持面６ａ，６ｂ，・・・６ｌによって両側から挟まれ、各コネクタの一部が基台部２から突出した状態で保持される。この保持状態において、各コネクタ２２ａ，２２ｂ，・・・２２ｊは突起部の突出方向と交差する前後方向に対して位置決めされている。このため、複数の電極２０ａ〜２０ｊが取り付けられた挿抜用ホルダ１を前後方向に沿って計測器１０のコネクタ挿込口１４ａ〜１４ｊに挿し込むことで、複数の電極２０ａ〜２０ｊを一括して計測器に接続することができる。また、抜き出す作業も同様に、挿抜用ホルダ１を前後方向に沿って引っ張り出すことで、複数の電極２０ａ〜２０ｊを一括して計測器１０から抜き外すことができる。
【００４０】
また、挿抜用ホルダ１を構成する突起部３ａ〜３ｌは各々が単純な円柱形状に形成されているので、挿抜用ホルダ１の製造が容易であり、コスト面でも安価にすることができる。
【００４１】
また、基台部２は樹脂材料で形成されており十分な強度（剛性）を有するため、基台部２に把持用の開口部５を形成してもなお十分な強度を維持することができる。医療従事者等は把持用の開口部５に指を入れつつ基台部５を把持することで、力を込めた状態で基台部５を把持し易くなるため、複数の電極２０ａ〜２０ｊを一括して計測器１０に挿し込む作業や一括して抜き外す作業の作業効率が向上する。
【００４２】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４３】
図５は、共通の挿抜用ホルダ１を用いて複数のコネクタ２２ａ〜２２ｊを挿抜することが可能な異なる種類の計測器１０，１０Ａ，１０Ｂを示す。
計測器１０（上述した心電計）はφ３ジャックコネクタを入力端子として備えている。また、計測器１０ＡはＤＩＮコネクタを入力端子として備えるポリグラフであり、計測器１０Ｂは同じくＤＩＮコネクタを入力端子として備えるモニタである。
【００４４】
計測器１０は中継アダプタ１２を備え、計測器１０Ａは中継アダプタ１２Ａを備え、計測器１０Ｂは中継アダプタ１２Ｂを備えている。各中継アダプタ１２，１２Ａ，１２Ｂは共通のコネクタ挿込口１４ａ〜１４ｊを有している。このように異なる種類の入力端子（φ３ジャックコネクタ、ＤＩＮコネクタ）を中継アダプタ１２，１２Ａ，１２Ｂによって共通のコネクタ挿込口１４ａ〜１４ｊに変換することにより、同一の挿抜用ホルダ１を用いて挿抜用ホルダ１に取り付けられた複数のコネクタ２２ａ〜２２ｊを異なる種類の計測器（心電計，ポリグラフ，モニタ等）に挿抜することができる。
【００４５】
これにより、被検者は異なる種類の計測器によって生体情報を測定する場合でも、貼り付けられた電極を測定毎に取り外すことなく貼付したまま挿抜用ホルダ１に取り付けられた状態のコネクタ２２ａ〜２２ｊを持って各計測器が設置されている検査室、病棟等を移動し、挿抜用ホルダ１で一括してコネクタ２２ａ〜２２ｊを各計測器に挿抜するだけで良い。
【００４６】
図６（ａ）は、挿抜用ホルダ１の第１の変形例（挿抜用ホルダ１Ａ）と第２の変形例（挿抜用ホルダ１Ｂ）を示す。
【００４７】
挿抜用ホルダ１Ａは、４本のコネクタ２２ａ’〜２２ｄ’を一括して挿抜することができる形態のホルダである。基台部２Ａの平面部４Ａ上には５本の突起部３ａ’〜３ｅ’が設けられており、突起部３ａ’と３ｂ’間にはコネクタ２２ａ’が、突起部３ｂ’と３ｃ’間にはコネクタ２２ｂ’が、３ｃ’と３ｄ’間にはコネクタ２２ｃ’が、３ｄ’と３ｅ’間にはコネクタ２２ｄ’が取り付けられている。
【００４８】
挿抜用ホルダ１Ｂは、６本のコネクタ２２ｅ’〜２２ｊ’を一括して挿抜することができる形態のホルダである。基台部２Ｂの平面部４Ｂ上には７本の突起部３ｆ’〜３ｌ’が設けられており、突起部３ｆ’と３ｇ’間にはコネクタ２２ｅ’が、突起部３ｇ’と３ｈ’間にはコネクタ２２ｆ’が、３ｈ’と３ｉ’間にはコネクタ２２ｇ’が、３ｉ’と３ｊ’間にはコネクタ２２ｈ’が、３ｊ’と３ｋ’間にはコネクタ２２ｉ’が、３ｋ’と３ｌ’間にはコネクタ２２ｊ’が取り付けられている。
【００４９】
図６（ｂ）は、挿抜用ホルダ１の第３の変形例（挿抜用ホルダ１Ｃ）と第４の変形例（挿抜用ホルダ１Ｄ）を示す。
【００５０】
挿抜用ホルダ１Ｃは、図６（ａ）に示す挿抜用ホルダ１Ａにおいて４本のコネクタ２２ａ’〜２２ｄ’をコネクタホルダ２７によって連結した形態のホルダである。コネクタホルダ２７は、例えば、薄い帯状の樹脂部材によって構成されており、コネクタの窪み部分以外の位置で隣接するコネクタを連結している。
【００５１】
挿抜用ホルダ１Ｄは、図６（ａ）に示す挿抜用ホルダ１Ｂにおいて６本のコネクタ２２ｆ’〜２２ｊ’をコネクタホルダ２８によって連結した形態のホルダである。コネクタホルダ２８もコネクタホルダ２７と同様に樹脂部材によって構成され、窪み部分以外の位置でコネクタを連結している。
【００５２】
以上のような変形例の挿抜用ホルダ１Ａ，１Ｂ，１Ｃ，１Ｄの場合にも、挿抜用ホルダ１と同様の作用効果を奏することができる。
さらに、挿抜用ホルダ１Ｃ，１Ｄの場合には、隣接するコネクタが予めコネクタホルダ２７、２８によって連結されている。このため各コネクタを各突起部間に一括して差し込むことができる。また、コネクタが窪み部分以外の位置でコネクタホルダ２７、２８によって連結されているので、コネクタを各突起部間に差し込んだときに各突起部とコネクタホルダによって各コネクタをガタツキ無く確実に保持することができ、複数の電極コネクタを一括してより容易に挿抜することができる。
【符号の説明】
【００５３】
１（１Ａ〜１Ｄ）：コネクタの挿抜用ホルダ（挿抜用ホルダ）、２：基台部、３（３ａ〜３ｌ）：突起部、４：平面部、５：開口部、６ａ〜６ｌ：保持面、１０：心電計（計測器の一例）、１２：中継アダプタ、２０（２０ａ〜２０ｊ）：電極、２１：電極部、２２（２２ａ〜２２ｊ）：コネクタ、２５：挿込口、２６ａ〜２６ｄ：窪み部
【図１】
2014188357.tif 000003
【図２】
2014188357.tif 000004
【図３】
2014188357.tif 000005
【図４】
2014188357.tif 000006
【図５】
2014188357.tif 000007
【図６】
2014188357.tif 000008